(57)【要約】  本発明は、フレーム内に蝶番で取り付けられ得るドアの閉塞を保持するための閉鎖手段に関する。本発明は、閉じられた上記ドアの第１の縁部に配置され得る取付手段と、閉じられた上記ドアの第２の縁部に配置されうる締付ユニットと、上記ドアが閉じられているとき、上記ドアとフレームとの間のギャップを通り、一端で上記取付手段に取り付けられ、他端で上記締付ユニットに取り付けられた、ケーブルまたはストラップとを備える。上記締付ユニットは、とりわけ、上記ケーブルまたはストラップを通すための開口を有するベースプレートと、上記開口をガイドされるケーブルまたはストラップを引っ張り、張力を保持したりするための締付機構と、上記締付機構の周りの封止を生成するようにベースプレート上に配置され得る錠を有するキャップとを備える。本発明によると、上記取付手段は、上記閉じられたドアと上記フレームとの間の上記ギャップより大きい距離を超えて、上記ケーブルまたはストラップの両側に延在しているサポートを備え、その距離は望ましくは５ｍｍより大きい。
2010514960.tif 000002
【特許請求の範囲】
【請求項１】
フレーム（２）内に蝶番で取り付けられ得るドア（５）の閉塞を保持するための閉鎖手段であって、
閉じられた上記ドアの第１の縁部に配置され得る取付手段（１３、１５；７８）と、
閉じられた上記ドアの第２の縁部に配置され得る締付ユニット（７）と、
上記ドアが閉じられているとき、上記ドアとフレームとの間のギャップ（８；８１）を通り、一端で上記取付手段に取り付けられ、他端で上記締付ユニットにられた、ケーブルまたはストラップ（１６；６９）と
を備え、
上記締付ユニットは、とりわけ、
上記ケーブルまたはストラップを通すための開口（２２；８１、８２）を有するベースプレート（１０；７３）と、
上記開口をガイドされるケーブルまたはストラップを引っ張り、張力を保持するための締付機構（１２；３３；６０）と、
上記締付機構（１２；３３；６０）の周りの封止を生成するようにベースプレート（１０；５４；７２）上に配置され得る錠（６；６４、６５）を有するキャップ（１１；５４、５５；７２）と、
を備え、
上記取付手段は、上記閉じられたドア（５）と上記フレーム（２）との間の上記ギャップ（８；８１）より大きい距離を超えて、上記ケーブルまたはストラップ（１６；６９）の両側に延在しているサポート（１３、１５；７８）を備え、
上記距離は、望ましくは５ｍｍより大きいことを特徴とする閉鎖手段。
【請求項２】
請求項１に記載の閉鎖手段において、
上記サポートは、上記ドアの両側に配置されたフレームに抗して配置されるような長さを持つピンとして構成され、上記ピンの長さは任意に調整可能であることを特徴とする閉鎖手段。
【請求項３】
請求項１に記載の閉鎖手段において、
上記ケーブルまたはストラップ（１６；６９）は、少なくとも５ｍｍから１０ｍｍの幅を有するテープであり、上記サポート（１３、１５；７８）は、上記テープの両側で上記テープに対して垂直に延在していることを特徴とする閉鎖手段。
【請求項４】
請求項１から３までのいずれか一つに記載の閉鎖手段において、
上記ベースプレート（１０；７３、７６）の上記開口（２２；８１、８２）から上記ベースプレートの縁部（７４）までの距離が少なくとも５ｍｍ、望ましくは少なくとも１０ｍｍであることを特徴とする閉鎖手段。
【請求項５】
請求項１から４までのいずれか一つに記載の閉鎖手段において、
上記ケーブルまたはストラップ（１６；６９）は、任意に鋼線が織り込まれた、プラスチック材料で織られたストラップを備えることを特徴とする閉鎖手段。
【請求項６】
請求項１から５までのいずれか一つに記載の閉鎖手段において、
上記ケーブルまたはストラップ（１６；６９）は、鋼線または高張力のプラスチックの線材からなるひもとして構成されていることを特徴とする閉鎖手段。
【請求項７】
請求項１から６までのいずれか一つに記載の閉鎖手段において、
上記ケーブルまたはストラップ（１６；６９）は、少なくとも３０００Ｎの引張り強さを有することを特徴とする閉鎖手段。
【請求項８】
請求項１から７までのいずれか一つに記載の閉鎖手段において、
上記締付機構（１２）は、上記軸の回転を防げる第１の留め金を有する、上記ケーブルまたはストラップ（１６）を巻き上げる回転軸（２３）と、上記軸を回転させるための第２の留め金を有するレバーとを備えることを特徴とする閉鎖手段。
【請求項９】
請求項１から８までのいずれか一つに記載の閉鎖手段において、
上記締付機構は、
上記ケーブルまたはストラップ（１６；６９）を挟み付けるためのクランプ（３３；６０）と、
ねじ（３９、４０；７０）と
を備え、このねじによって、上記クランプが上記ベースプレート（１０；７３）から押し出され得るようになっていることを特徴とする閉鎖手段。
【請求項１０】
請求項９に記載の閉鎖手段において、
上記クランプ（３３；６０）は、
可動クランピングジョー（４７；６１）と静止クランピングジョー（４４；６８）との間の上記ケーブルまたはストラップ（１６；６９）を通すためのギャップと、
上記可動クランプを上記ケーブルまたはストラップに押し付けるためのスプリング（４８）と
を備えることを特徴とする閉鎖手段。
【請求項１１】
請求項１から１０までのいずれか一つに記載の閉鎖手段において、
上記締付ユニット（７）は、とりわけ、もし異常な力が上記締付ユニットに働けば作動される警告手段を備えることを特徴とする閉鎖手段。
【請求項１２】
請求項１から１１までのいずれか一つに記載の閉鎖手段において、
上記サポート（５０；７８）は、マグネット（５２；８０）を使用して上記フレーム（２）または側縁部（４９）に取り付けられ得ることを特徴とする閉鎖手段。
【発明の詳細な説明】
【技術分野】
【０００１】
本発明は、請求項１の前文による、ドアの閉塞を保持するための閉鎖手段に関する。
【背景技術】
【０００２】
このタイプの閉鎖手段は、米国特許５３６９９７０および米国特許５５８２０４６がとりわけ知られている。これらの知られている手段の場合、ケーブルまたはストラップが、ドアの後ろに配置されたスペースにあるフックを使用することで固定される。この場合、後ろにフックが取付けられ得る締結ポイントが、このスペースに提供される必要がある。フックのためのこのタイプの締結ポイントは常に提供されるわけではなく、また、ダメージを与えることなく取り付けられ得ないことがわかっている。ドアの後ろの小さいスペースと同様に、後ろにフックが掛けられ得る縁部がないこともしばしばある。この例は、ホテルの部屋または家に備え付けられた金庫である。これらの小さなスペースに、既知の閉鎖手段は適当ではない。
【先行技術文献】
【特許文献】
【０００３】
【特許文献１】米国特許５３６９９７０号明細書
【特許文献２】米国特許５５８２０４６号明細書
【発明の概要】
【０００４】
この欠点を避けるために、本発明に従った上記閉鎖手段は請求項１の特徴部分に従って構成される。サポートがケーブルまたはストラップの両側に延在しているという事実の結果として、上記サポートがフック等を使用して取り付けられなければならないことなしに、ケーブルまたはストラップの両側で、上記サポートがドアおよび／またはフレーム上に配置されるだろう。このことは上記閉鎖手段が一般に使用されることを許容する。
【０００５】
一実施形態では、請求項２に従って、上記閉鎖手段が構成される。このことは、上記サポートは上記フレーム上に容易に配置されることを許容し、ピンは様々な寸法のドアに用いられ得るような長さに任意にカットされうる。
【０００６】
一実施形態では、請求項３に従って、上記閉鎖手段が構成される。このことは、上記サポートが、ギャップに対して垂直になるよう常に方向づけられ、上記サポートが、ドアおよびフレーム上に配置されることを確実にし、また、ケーブルまたはストラップがしっかりと締め付けられることを許容する。
【０００７】
一実施形態では、請求項４に従って、上記閉鎖手段が構成される。このことは、ケーブルまたはストラップが締め付けられるときに、権限のない人々が、ケーブルまたはストラップを切り開くのを妨げる。
【０００８】
一実施形態では、請求項５に従って、上記閉鎖手段が構成される。このタイプのストラップは上記ギャップを通って容易に案内され得るし、上記締付機構内で締め付けられ得る。
【０００９】
一実施形態では、請求項６に従って、上記閉鎖手段が構成される。ひもの使用により、上記締付手段はその構成において非常にコンパクトになる。
【００１０】
一実施形態では、請求項７に従って、上記閉鎖手段が構成される。このことは、締付ユニットが、ドアおよび／またはフレームに対して十分な力で引かれることを許容し、その結果、上記締付手段は動かすのが難しく、ケーブルまたはストラップは切り開かれ得ない。
【００１１】
一実施形態では、請求項８に従って、上記閉鎖手段が構成される。このことは、高張力がケーブルまたはストラップに容易にかかるとともに、締付ユニットがドアおよび／またはフレームに対して大きな力で引かれることを許容する。
【００１２】
一実施形態では、請求項９に従って、上記閉鎖手段が構成される。このことは、ケーブルまたはストラップは、容易に操作可能な締付手段を使用して締め付けられることを許容する。
【００１３】
一実施形態では、請求項１０に従って、上記閉鎖手段が構成される。このことは、ケーブルまたはストラップが、バネの力によって常に押し付けられるのを許容し、クランプが外されたり振動したりするのを妨げ、この結果、権限のない人々によって上記閉鎖手段は取り外され得なくなる。
【００１４】
一実施形態では、請求項１１に従って、上記閉鎖手段が構成される。このことは、上記閉鎖手段が気付かれずに開くのを防ぐ。
【００１５】
一実施形態では、請求項１２に従って、上記閉鎖手段が構成される。このことは、ケーブルまたはストラップが締め付けられる前に、上記サポートが容易に取り付けられることを許容する。
【図面の簡単な説明】
【００１６】
【図１】第１の実施形態の閉鎖手段によって閉鎖されたドアを有する金庫の斜視図である。
【図２】図１中の閉鎖手段を有する上記金庫の側面図である。
【図３】図２中の上記ドアおよび閉鎖手段の平面断面図である。
【図４】第２の実施形態の閉鎖手段の概略断面図である。
【図５】図４中の閉鎖手段で使われるクランプの概略断面図である。
【図６】ドアが開けられているとき、上記金庫の側壁に一時的に取付けられる安全手段の概略断面図である。
【図７】ドアが閉じられている場合の図６の断面図である。
【図８】第３の実施形態の閉鎖手段の概略断面図である。
【図９】図８による閉鎖手段の実施形態の、部分的な断面を持つ平面図である。
【発明を実施するための形態】
【００１７】
本発明は図示の実施形態に基づいて、また、図面に関して、以下に説明される。
【００１８】
図１は金庫１の斜視図であり、安全錠７が付加的な閉鎖手段として使用される。金庫１は、フレーム２を有する閉鎖可能なスペースを備える。ドア５は、蝶番３を使用してフレーム２に取り付けられている。ドア５は、フレーム２とドア５との間のギャップ８を残して、フレーム２の中で閉じる（図３参照）。金庫１を閉じるために、ドア５は、ドア５に組み込まれた錠４を備える。錠４を用いて、ボルト９（図２参照）は、金庫１を閉じるのに使用される。錠４のマスターコードかマスターキーを持っている人により金庫１が権限なく開けられることに部分的に対抗して、付加的な保護として、安全錠７はドア５に設けられている。安全錠７は、安全錠７の部品へのアクセスを防ぐ南京錠６を有し、その結果、安全錠７が取り除かれるのを防ぎ、また、金庫１が知られずに、および／または、例え錠４が既に開けられたとしても、侵入された痕跡なく開けられるのを防ぐ。
【００１９】
図２は金庫１およびドア５の側面図であり、金庫１の側壁は明確性のために省略されている。アンカーピン１３の両端がフレーム２の内側に抗して配置されている態様で、アンカーピン１３はドア５の内側に配置される。アンカーピン１３はスロット１４を有し、このスロット１４を通して締付ストラップ１６が突き出している。締付ストラップ１６は、ギャップ８を通って金庫１の内部の縁部から金庫１の外部の縁部へ至る。ギャップ８を通る通路の高さは、締付ストラップ１６がボルト９と無関係な態様に選定されている。この目的のため、スロット１４の幅は、締付ストラップ１６がアンカーピン１３にあるスロット１４の様々な高さに取り付けられ得るようなものになっている。
【００２０】
金庫１の内部の締付ストラップ１６の端部は、スロット１４に挿入されて、アンカープレート１５に取り付けられる。例えば、締付ストラップ１６が、２つの開口２９を通って輪３０の形（図３参照）ではめ込まれた結果として、アンカープレート１５に取り付けられる。締め付けの別の態様は、締付ストラップ１６が二重に折り重ねられて、アンカープレート１５の一つの開口に挿入され、アンカープレート１５の開口に挿入され得ない遮断手段に縫いつけられているということであってもよい。
【００２１】
アンカーピン１３は固定長のピンとして図示されている。アンカーピン１３は、その上側の縁部および下側の縁部において、ドア５のフレーム２上に配置されるような長さをもつものでなければならないことは明確であろう。アンカーピン１３はこの目的のために傾いていても良い。図示された固定長に加えて、アンカーピンの長さが容易に金庫１の高さに適合させられうる態様で、アンカーピン１３を構成することは可能である。例えば、アンカーピン１３にねじ式の部分を設けることによって、または、アンカーピン１３の端部に管材料を押し込むことによって、アンカーピン１３を設定することが可能である。望ましくは、これらの管材料が固定されることができ、その結果、アンカーピン１３は長さが調整され、容易にドア５の高さにカスタマイズされて、ドア５の内側の縁部に配置される。アンカーピン１３はねじを外すことができるものであってもよく、アンカーピンは壁の間でねじを外されることによって取り付けられ、その結果として、壁の間に固定されてもよい。アンカーピン１３は、その両端部に、上記壁に取り付けられるようになる強化ポイントを備えていてもよい。
【００２２】
締付ストラップ１６は、金庫１の外側の縁部へギャップ８を通って突き出し、ドア５が一旦閉じられると、安全錠７においてしっかりと引っ張られる。その結果として、アンカーピン１３は、フレーム２に抗して金庫１の内側に取り付けられ、固定された姿勢を有する。同時に、ドア５の外側の安全錠７も固定された姿勢を有する。
【００２３】
安全錠７はその上にキャップ１１を有するベースプレート１０からなる。ベースプレート１０とキャップ１１とによって形成されたスペースには、締付ストラップ１６を締め付けるのに適したラチェット１２がある。ラチェット１２は、とりわけ、乗り物に積み荷を取り付ける締付ストラップを締め付けたり、ある物が締付ストラップを用いて取り付けられるような、多数の他の適用に役立つことが知られている。知られている適用では、締付ストラップ１６がループにおいて、ラチェット、例えば締付ロッド３１（図３参照）に対して、しばしば締め付けられる。締付ストラップ１６は、その次に、一緒に束ねられるべき物の周りで巻き上げられ、そして、その自由端２１は締付シャフト２３（図３参照）にあるスロット２５に挿入され、その後、締付シャフト２３が回転され、締付ストラップ１６は張られる。締付ストラップ１６の張力によって、締付ストラップは、締付シャフト２３の周りに押し付けられる。本件の場合に示された適用例では、締付ストラップ１６は、束ねられるべき物の周りで巻き上げられない。しかしながら、自由端２１が締付シャフト２３にあるスロット２５に一旦挿入されると、締付ストラップ１６は、ある匹敵する態様で張られる。ラチェット１２上の締付ストラップ１６の締め付けによって、締付ストラップは、ラチェット１２とアンカープレート１５との間できつく引っ張られる。その結果、ベースプレート１０は、しっかりドア５および／またはフレーム２を押し付け、もうドア５が開けられることができなくなる。
【００２４】
図３は、さらに詳細に安全錠７を示す。ラチェット１２は、レバー３２を有し、このレバーによって締付シャフト２３が回転可能になっており、この結果、締付ストラップ１６が締付シャフト２３の周りに巻き付けられ得る。締付ストラップ１６を張力がかかった状態に保持し、締付ストラップ１６の巻き戻しを防ぐために、締付シャフト２３は歯（図示しない）を備え、ベースプレート１０に連結された弾性を有する第１の留め金（図示しない）がこの歯とかみ合う。また、レバー３２は、締付シャフト２３の歯とかみ合う、弾性を有する第２の留め金を備える。レバー３２の第２の留め金が締付シャフト２３の歯とかみ合って、上記レバーが動かされるとき、続く第１の留め金は常にかみ合って、これにより締付シャフト２３を巻き上げる。締付ストラップ１６を巻き上げている間、大きな力が締付ストラップ１６に発生する。２０ｍｍから２５ｍｍの幅と１ｍｍの厚みを有する締付ストラップが、締付シャフト２３の周りで巻かれるのを許容するために構成されるラチェット１２に関しては、５０００Ｎから１００００Ｎの力が、それほど困難なく締付ストラップ１６に適用され、その結果、その力はドア５およびフレーム２にベースプレート１０を押しつける。
【００２５】
ベースプレート１０の下に取り付けられるのは、例えば、締付ストラップ１６における力の影響を受けてへこむことができるゴム製の中間プレート１７である。この中間プレート１７は、ドア５およびフレーム２へのダメージを防ぐ。ラチェット１２と安全錠７があるドア５との間の一定の弾性を利用することで、ラチェット１２で締付ストラップ１６に張力をかけるのを容易にし、ドア５に沿った安全錠７の移動を妨げる。ラチェット１２はベースプレート１０に弾性的に取り付けられてもよい。
【００２６】
いくつかの開口２２はベースプレート１０において互いに隣に形成される。開口２２は、おおよそ締付ストラップ１６の寸法を有し、その結果として、上記締付ストラップは正確にギャップ８へガイドされ、底板１０の縁部は開口２２の周りで十分に幅が広い。開口２２から上記ベースプレート１０の縁部までの距離は、望ましくは少なくとも１０ｍｍである。締付ストラップ１６を切り開くことに対する更に改良された保護のために、この距離は少なくとも１５ｍｍである。対応する開口２８は中間プレート１７において形成される。開口２２および２８の周りの縁部の結果として、締付ストラップ１６がドア５およびフレーム２に対してベースプレート１０を引っ張り、切り開かれ得ないとき、締付ストラップ１６はベースプレート１０の側縁部からアクセスできない（さもなければ、切り開かれたことが気付かれ、その結果、侵入を証明できる）。だから、締付ストラップ１６は知らずに取り外され得ないという事実は、再利用できない閉鎖装置７が、ラチェット１２を緩める以外の如何なる手段によっても、上記ドアから取り外されることを妨げる。
【００２７】
複数の隣接位置でベースプレート１０および中間プレート１７に形成されるのは、開口２２、２８である。それらの開口を通して、ベースプレート１０が、金庫１の状況および寸法に応じて、ギャップ８に対する様々な位置に配置され得る。
【００２８】
ラチェット１２は、締付シャフト２３の歯から第１の留め金および第２の留め金を取り外すことが、上記締付シャフトが回転するのを許容するような態様で構成される。その結果、締付ストラップ１６の張力が消え、締付ストラップ１６は巻き戻され得るし、ラチェット１２は締付ストラップ１６から取り外され得る。キャップ１１は、ラチェット１２が権限のない人々によって緩められるのを防ぐために、ベースプレート１０に取り付けられる。ベースプレート１０は、周り全てに、補強縁部１８を有する。１つ以上の開口２６が補強縁部１８に形成され、フック２７は、キャップ１１の側面に取り付けられ、これらの開口２６に取り付けられる。開口２６の反対側では、シャックル２０はベースプレート１０上に設けられている。キャップ１１が閉じられるとき、シャックル２０は、キャップ１１の突出した部分の開口１９を通って突き出る。南京錠６はシャックル２０によって引っ掛けられ、その結果、キャップ１１が取り除かれるのを防ぎ、権限のない人々がラチェット１２にアクセスするのを拒絶する。
【００２９】
図示の実施形態では、キャップ１１は南京錠６を備える。他の実施形態では、ベースプレート１０とキャップ１１との間の結合が、例えばキャップ１１に錠を一体化することによって、異なる態様で錠６を使用することで保証され得る。また、キャップ１１が権限のない人々によって開けられたこと、またはそのようにしようとしたことをユーザに忠告する、アラーム手段および／または表示器を、キャップ１１に備え得る。
【００３０】
図示の実施形態では、安全錠７は締付ストラップ１６によってアンカーピン１３に結合される。締付ストラップ１６はプラスチック織物材からなっていてもよい。また、鋼線がその織物材を通して織られていてもよい。締付ストラップ１６の代わりにケーブルが用いられていてもよい。このケーブルは、高張力の鋼線または他のプラスチックで織られた材料からなっていてもよい。そしてラチェット１２および開口２２、２８はそれに従って適合されている。
【００３１】
金庫１への適用において、取付手段はアンカーピン１３で構成される。また、この取付手段は、この場合および他の場合において、異なって構成されるのは明らかであろう。単にアンカープレート１５が十分である状況があるだろう。その寸法は大きくてもよく、その結果、締付ストラップ１６の引張力が、より大きい表面積の上に分配される。アンカープレート１５が単にあれば、上記アンカープレートは、締付ストラップ１６の各縁で、少なくとも１０ｍｍの幅であり、その結果、締付ストラップ１６が締め付けられるとき、アンカープレート１５の一つの縁がフレーム２に、アンカープレート１５のもう一つの縁がドア５の上にある。また、力が効果的に分配されるのを許容し、ダメージを防ぐために、取付手段は、ベースプレート１０における中間プレート１７に匹敵するゴムの中間プレートを備えていてもよい。
【００３２】
締付ストラップ１６が高張力の場合、ドア５をフレーム２に引き入れるのに大きな力が必要とされるのは明らかだろう。通常、これは、ドア５がフレーム２に抗して配置されているのではなく、むしろ、この大きな力がフレーム２の中の開口に挿入されるボルト９によって吸収されることを意味する。結果として、締付ストラップ１６が引っ張られているとき、これらのボルト９は動かされないか、またはほとんど動かされ得ない。これはまた、安全錠７の使用中にドア５が偶然開くのを妨げる。
【００３３】
図４は安全錠７の第２実施形態を示す。ベースプレート１０は３つの開口２２を備え、中間プレート１７は、ベースプレート１０に取り付けられ、また、３つの開口２８を有する。中間プレート１７は２ｍｍから５ｍｍの厚みを有するゴムからなり、例えばパラゴムは、４０ショアから４５ショアの硬度を有する。開口２２は締付ストラップ１６をぴったり囲む寸法を有し、ベースプレート１０の大きさは、開口２２からベースプレート１０の縁部までの距離が少なくとも５ｍｍから７ｍｍであり、望ましくは、少なくとも１０ｍｍであるようなものである。
【００３４】
ベースプレート１０は高い縁部５４と縁部５４を囲むキャップ５５を有する。キャップ５５はシャックル２０が通って突き出る開口３５を含む。錠の穴３６に南京錠６を取り付けることは、キャップ５５が取り除かれるのを妨げる。その結果、キャップ５５を取り除くことが南京錠６によって妨げられないときにだけ、高い縁部５４内の内部スペースがアクセス可能である。
【００３５】
締付ストラップ１６を締め付けるため、クランプ３３は、高い縁部５４によって囲まれたスペース内に配置されている。クランプ３３は、例えば、締付ストラップ１６の周りにクランプ３３を配置するために、高い縁部５４内のスペースから取り除かれてもよいし、ベースプレート１０の３つの位置に配置されてもよい。クランプ３３を配置するために、ベースプレート１０はリッジ３７を有する。
【００３６】
図４の詳細部Ａ（Ｄｅｔａｉｌ  Ａ）および図５に示すように、クランプ３３は静止クランピングジョー４４および可動クランピングジョー４４を有する。可動クランピングジョー４７は、軸３８の周りに回転でき、クランピングジョー４４、４７の間の開口が最小になったり、および／またはクランピングジョーが互いに引っ張られたりするような態様で、スプリング４８によって回転される。静止クランピングジョー４４および可動クランピングジョー４７は、互いに面する側面に、静止クランピングジョー４４と可動クランピングジョー４７との間に挟み付けられ得る締付ストラップ１６にしっかりと押さえ付けられ得る歯や溝等を備える。スプリング４８の影響を受けて回転する間、クランピングジョー４４と４７との間のギャップがより小さくなり、そして、例えばレバー３４が押されるなら、逆方向への回転の間、クランピングジョー４４と４７との間のギャップがより大きくなるような態様で、可動クランピングジョー４７は成形されている。この構造の結果、もし開口２２の側から引っ張られれば、締付ストラップ１６はクランピングジョー４４と４７との間で挟み付けられるようになり、締付ストラップ１６は、レバー３４を押すことによって、逆方向にだけ動かされ、および／または取り除かれ得る。
【００３７】
締付ストラップ１６を締め付けるために、ホイール４０を回すことによって手動でねじ込まれ得るねじ３９は、静止クランピングジョー４４に取り付けられる。ねじ３９の端部は、小さい半径を有するポイント４３で構成され、ポイント４３は、望ましくは、負荷がかかったときに、変形されないように堅くされる。クランプ３３は、ピン４５と壁４４を有し、開口２２の間および隣のバック４１の上にポイント４３があるような態様でリッジ３７によって配置される。ベースプレート１０は、ポイント４３の下で、付加的に硬化されたプレート４２で補強されてもよい。その結果、締付ストラップ１６の力の影響を受けて、ポイント４３の下のベースプレート１０の変形が防止される。
【００３８】
締付ストラップ１６を締め付けるために、ねじ３９は回転され、その結果、クランプ３３を上向きに押す。そして上記クランプがベースプレート１０に対して最大傾斜角βを形成できる。クランプ３３がベースプレート１０上に平坦についているとき、ねじ３９はベース面の垂線に対して角度αを形成する。角度αの大きさは最大傾斜角βのおよそ半分である。この場合の実施形態では、βは高々約２０°であるので、αは約１０°である。この結果として、および、リッジ３７はクランプ３３が動くのを妨げるという事実の結果として、ポイント４３は開口２２の隣の同じ位置におおよそ留まり、ポイント４３はギャップ２２中に押さえつけられ得ない。
【００３９】
図６および７は、取付手段が金庫１の内側に容易に取り付けられるのを許容するアンカー５０を示す。アンカー５０は、Ｕ字型の部材から成り、このＵの直立の足は、次第に短くなって最終的に丸み部５３になる。Ｕ字型のアンカー５０のベースにおいて、３つのスロット５１が形成されている。それらによって、締付ストラップ１６が挿入され得るし、アンカー５０に容易に締め付けられ得る。アンカー５０に取り付けられるのは、アンカー５０をフレーム２あるいは側縁部４９に一時的に取り付けるための２個の磁石５２である。丸み部５３から最も近いスロット５１までの距離は、およそ１０ｍｍから１５ｍｍの距離ａである。
【００４０】
ドア５が開けられているとき、アンカー５０が金庫１の内壁４９にマグネット５２を使用して取り付けられるような態様で、アンカー５０は使用される。締付ストラップ１６が引っ張られ、ドア５は一度閉じられると、アンカー５０は、壁４９に沿って丸み部５３がフレーム２に当たるまでスライドしてもよい。次にアンカー５０は、上記距離ａの結果として、上記側壁４９から取り外され、丸み部５３の周りに傾き、アンカー５０がフレーム２およびドア５上に同時に配置されているという事実の結果として、ギャップ８の前に押さえつけられるようになる。アンカー５０の傾いた形状のため、もしドア５がフレーム２に対していくらか後ろへ下がれば、上記アンカーはまた、ドア５に十分に抗して配置されるだろう。
【００４１】
以上説明された締付ストラップ１６は、ポリエステルからなり、例えば０．８ｍｍの厚みを有する。そのとき、引張力は３０００Ｎとなりうる。適切な場合、締付ストラップ１６は、ケブラーのような丈夫な材料からなっていてもよい。
【００４２】
図８および９は、本発明の閉鎖手段の第３の実施形態を示し、この実施形態はこれまで説明された実施形態と一部同じである。ベース部分７３は、柔軟な支持プレート７６が取り付けられている縁部７４を有する。この柔軟な支持プレート７６はパラゴムからなり、例えば８ｍｍの厚さで、縁部７４の下が約３ｍｍ突き出ていてもよい。結果として、金庫１のドア５および／またはフレーム２に抗して上記ベース部分が押し付けられるとき、支持プレート７６はベース部分７３に対して動くことができない。図４に示されるクランプ３３におおよそ対応するクランプ６０は、ピン５８によってベース部分７３に取り付けられる。クランプ６０はピン５８の周りに回転できる。上述したように、クランプ６０は回転可能なクランピングジョー６１を有し、それは、回転軸６３の周りに回転できて、スプリング（この場合において図示されない）によって固定クランピングジョー６８に抗して押し付けられる。図示された状況において、締め付けられた締付ストラップ６９は回転可能なクランピングジョー６１と固定クランピングジョー６８との間に挟み付けられ、その結果、ドア５およびフレーム２の内側に向かってアンカープレート７８を引っ張る。締め付けられた締付ストラップ６９を通すために、ベース部分７３は開口８２を有し、柔軟な支持プレート７６は開口８１を有する。縁部７４と開口８１、８２との間の距離は、５ｍｍ以上、望ましくは１０ｍｍ以上である。
【００４３】
締付ストラップ６９は、クランプ６０中のねじ７０を回すことによって締め付けられ、その結果として、ベース部分７３上にあるクランプ６０は、ベース部分７３から押しのけられる。ねじ７０はポイント７１でベース部分７３上に配置され、選択的に、ベース部分７３のベース中に補強の目的のために取り付けられているプレート７５上に配置されている。このプレート７５は、クランプ６０に、そして特に固定クランピングジョー６８にねじで取り付けられている。下側のクランプ６０の外へねじ７０を回すことにより、クランプ６０がピン５８の周りに回転して、締付ストラップ６９を締め付ける。ねじ７０を回せるように、上記ねじはグリップ６６を有する。
【００４４】
キャップ７２は、クランプ６０が権限のない人々によって取り外されるのを妨げるためにベース部分７３の上に置かれる。キャップ７２は、小さなギャップを有してグリップ６６を取り囲む開口８３を有する。キャップ７２の上に突き出るグリップ６６の部分は、開口６７を有する。錠６４の錠シャックル６５は開口６７を通って引っ掛けられてもよく、その結果、キャップ７２が取り外されるのが妨げられる。キャップ７２とグリップ６６との間のギャップは非常に狭く、その結果、クランプ６０がギャップを通ってものを挿入することによって取り外されるようになることが妨げられる。縁部８４は、また、このためにキャップ７２の内側に設けられてもよい。
【００４５】
締付ストラップの自由端５６を閉鎖手段の外部へ導くことができるために、ベース部分７３は上側に凹部６２を有し、キャップ７２は、側縁部の内側に凹部５９、および下側に凹部５７を有する。凹部５７、５９、６２は、締付ストラップの自由端５６がおおよそ直角である２つの角度を通して導かれるような態様で形成されている。結果として、自由端５６側を引くことによっては、凹部を導かれた締付ストラップを締め付けられ得ない。これは、キャップ７２がベース部分７３に配置されるとき、締付ストラップが締め付けられ得ないことを意味する。したがって、権限なく金庫１を開けたことは、その後に締付ストラップを締め付けることによって隠され得ない。
【００４６】
アンカープレート７８は磁石８０を備える。この磁石によって、アンカープレートは、ドア５（この位置は図８の破線で示される）を閉じるためにフレーム２または側縁部４９に一時的に取り付けられ得る。アンカープレート７８は、締付ストラップがアンカープレート７８に取り付けられるために通される３つの開口７９を有する。開口７９からアンカープレート７８の端部までの距離は、アンカープレート７８がギャップ７７を通って決して引っ張られ得ないほどのものである。ほとんどの状況において、１０ｍｍの最小距離がこの目的のために守られてもよい。その結果、アンカープレート７８は少なくとも締付ストラップの両側にこの距離分だけ突き出ている。
【００４７】
本発明は、金庫のドアの閉鎖を確実にするためのいくつかの図示の実施形態について上記のように説明されてきた。この閉鎖手段の使用によって、ドアは侵入の証拠を示さずに開けられない。侵入を常に防げるわけではないが、侵入があった場合、ダメージが知覚できるのが、所有者にとって重要であるような他の状況があるのは、当業者にとって明らかだろう。例として、定期的にモニターされない、港、田舎のコテージまたは他の場所の車かヨットのキャビンのドアがある。これらの状況でも容易に本発明に従った閉鎖手段を使用できる。ここで取付手段は、すべての場合においてその状況に適合され得る。侵入があった場合、閉鎖手段の錠または締付ストラップのどちらかはダメージを受けるだろう。
【図１】
2010514960.tif 000003
【図２】
2010514960.tif 000004
【図３】
2010514960.tif 000005
【図４】
2010514960.tif 000006
【図５】
2010514960.tif 000007
【図６】
2010514960.tif 000008
【図７】
2010514960.tif 000009
【図８】
2010514960.tif 000010
【図９】
2010514960.tif 000011
【国際調査報告】
2010514960.tif 000012
2010514960.tif 000013
2010514960.tif 000014